(57)【要約】【課題】原稿のサイズを示す指標を案内部材の案内面に備えて小型にする。【解決手段】画像読取装置３２は、プラテンガラス６を有する本体２２を備えている。この本体には、プラテンガラスの上面を開閉できて、かつプラテンガラスを閉じた状態で、原稿をプラテンガラスに搬送する原稿搬送装置５が設けられている。さらに、本体には、原稿がプラテンガラスに載置されたとき載置された原稿を読み取り、原稿が原稿搬送装置によってプラテンガラスに搬送されたとき搬送された原稿を読み取るイメージセンサも設けられている。また、本体２２には、原稿搬送装置によってプラテンガラスに搬送された原稿を原稿搬送装置の下流側に案内する案内面１９ａを有する案内部材１９も設けられている。そして、案内部材の案内面に、プラテンガラスに載置された原稿のためのサイズ指標２１が設けられている。【選択図】図２
2008005360.tif 000002
【特許請求の範囲】
【請求項１】
原稿が載置されるプラテン板を有する本体と、
前記本体に前記プラテン板の上面を開閉できるように設けられ、前記プラテン板を閉じた状態で、前記原稿を前記プラテン板に給送する原稿給送装置と、
前記原稿が前記プラテン板に載置されたとき前記載置された原稿を読み取り、前記原稿が前記原稿給送装置によって前記プラテン板に給送されたとき前記給送された原稿を読み取る読取手段と、
前記原稿給送装置によって前記プラテン板に給送された前記原稿を前記原稿給送装置の下流側に案内する案内面を有する案内部材と、を備えた画像読取装置において、
前記案内部材の案内面に、前記プラテン板に載置された前記原稿のための指標を備えた、
ことを特徴とする画像読取装置。
【請求項２】
前記指標を覆う透明な被覆部材を備え、前記被覆部材が、前記案内面を通過する前記原稿から前記指標を保護してなる、
ことを特徴とする請求項１に記載の画像読取装置。
【請求項３】
前記案内部材が、前記プラテン板に載置された前記原稿の端部を受け止めて位置決めする位置決め面を備えている、
ことを特徴とする請求項１又は２に記載の画像読取装置。
【発明の詳細な説明】
【技術分野】
【０００１】
本発明は、原稿を読み取る画像読取装置、特に、プラテン板に載置された原稿用のサイズ指標を備えた画像読取装置に関する。
【背景技術】
【０００２】
従来、原稿に記載の文字、画像等の情報を読み取る画像読取装置は、特許文献１に記載されている。この画像読取装置は、図６に示すように、プラテンガラス１０５に載置された原稿、あるいは原稿給送装置１０１によってプラテンガラスに供給された原稿をイメージセンサ１２４で読み取るようになっている。画像読取装置１０２が読み取った原稿の情報は、不図示の画像形成装置の画像形成部によってシートに複写されるようになっている。
【０００３】
そして、画像読取装置１０２は、プラテンガラス１０５に載置された原稿のサイズを示す指標１２１を備えている。指標１２１は、原稿給送装置１０１によってプラテンガラス１０５に給送された原稿を原稿給送装置の下流側に案内する案内部材１２５の下流側に設けられている。
【０００４】
【特許文献１】特開２００３−４６７２２号公報
【発明の開示】
【発明が解決しようとする課題】
【０００５】
しかし、従来の画像読取装置の指標１２１は、案内部材１２５の下流側、すなわち、プラテンガラス１０５に原稿が載置される側に設けられている。このため、従来の画像読取装置は、指標を設ける位置を特別に必要として、その分だけ原稿給送方向（図６において左右方向）に長く、大型であった。
【０００６】
また、このような大型の画像読取装置を装置本体に備えた画像形成装置も大型であった。
【０００７】
本発明は、指標を案内部材の案内面に備えて小型にした画像読取装置を提供することに
【課題を解決するための手段】
【０００８】
本発明の画像読取装置は、原稿が載置されるプラテン板を有する本体と、前記本体に前記プラテン板の上面を開閉できるように設けられ、前記プラテン板を閉じた状態で、前記原稿を前記プラテン板に給送する原稿給送装置と、前記原稿が前記プラテン板に載置されたとき前記載置された原稿を読み取り、前記原稿が前記原稿給送装置によって前記プラテン板に給送されたとき前記給送された原稿を読み取る読取手段と、前記原稿給送装置によって前記プラテン板に給送された前記原稿を前記原稿給送装置の下流側に案内する案内面を有する案内部材と、を備え、さらに、前記案内部材の案内面に、前記プラテン板に載置された前記原稿のための指標を備えた、ことを特徴としている。
【発明の効果】
【０００９】
本発明の画像読取装置は、案内部材の案内面に指標を備えたので、指標を設ける場所を特別に必要としないで、原稿の給送方向の長さを短くして、小型にすることができる。
【発明を実施するための最良の形態】
【００１０】
以下、本発明の実施形態の画像読取装置と、この画像読取装置を装置本体に備えた画像形成装置とを図に基づいて説明する。
【００１１】
図１は、本発明の実施形態における画像読取装置を備えた画像形成装置のシート搬送方向に沿った断面図である。図２は、画像読取装置の外観斜視図である。図３は画像読取装置において、プラテン板としてのプラテンガラスを開いたときの画像読取装置の外観斜視図である。図４は、画像読取装置の原稿給送方向に沿った断面図である。図５は、図４の画像読取装置において、本発明の特徴部分を示す拡大図である。
【００１２】
（画像形成装置）
画像形成装置３１は、原稿に記載の文字、画像等の情報を読み取る画像読取装置３２と、画像読取装置３２を上部に有して画像読取装置３２が読み取った原稿の情報をシートに形成する装置本体３３とを備えている。画像形成装置３１には、例えば、複写機、プリンタ、ファクシミリ、及びこれらの複合機等がある。
【００１３】
図２示すスタート釦４１をユーザが押すと、図１に示すピックアップローラ４３は、カセット４２に収納されているシートＰをカセット４２から送り出す。その後、搬送ローラ対４４は、シートＰを感光体ドラム４５と転写装置４６との間に送り込む。
【００１４】
感光体ドラム４５は、帯電器４７によって帯電された状態で、画像読取装置３２が読み取った原稿の情報に応じて露光器４８によって露光されて、潜像を形成される。潜像は、現像器４９によってトナー現像され、トナー画像になる。なお、感光体ドラム４５、帯電器４７、露光器４８、現像器４９等は、画像形成部５２を構成している。
【００１５】
感光体ドラム４５と転写装置４６との間に送り込まれたシートＰは、感光体ドラム４５のトナー画像を転写されて、定着器５０で加熱加圧され、トナー画像が定着される。最後、シートＰは、排出トレイ５１に排出される。
【００１６】
（画像読取装置）
画像読取装置の構成の説明
図４に示すように、画像読取装置３２は、本体２２と、原稿給送装置５と、読取手段としてのイメージセンサ１６等を備えている。
【００１７】
本体２２は、上部にプラテンガラス６と案内部材としての下流側ガイド部材１９とを備え、内部にイメージセンサ１６を備えている。プラテンガラス６は、ユーザによって原稿を載置される静止原稿読取領域６Ａと、原稿給送装置５によって自動的に給送される原稿が通過する給送原稿読取領域６Ｂとに分かれており、その境に後述する下流側ガイド部材１９を有している。なお、プラテンガラス６は１枚であるが、静止原稿読取領域６Ａと、給送原稿読取領域６Ｂとに分離して２枚にし、その間に下流側ガイド部材１９が配設されていてもよい。なお、プラテンガラスの代わりに樹脂製の透明板を使用してもよい。
【００１８】
図３に示すように、原稿給送装置５は、ヒンジ３によって本体２２にプラテンガラス６を開閉できるように設けられている。原稿給送装置５の下部には、白地板２が取り付けられている。白地板２は、ユーザによってプラテンガラス６の静止原稿読取領域６Ａに載置された原稿をイメージセンサ１６に読み取らせるため、原稿給送装置５でプラテンガラス６を閉じたとき、原稿を静止原稿読取領域６Ａに押さえ付けるようになっている。白地板２は、原稿を静止原稿読取領域６Ａに密着させて押さえ付けるため、スポンジやばねなどの弾性部材を介して原稿給送装置５の下部に備えられている。
【００１９】
さらに、図４、図５に示すように、原稿給送装置５の下部には、押圧部材２０も設けられている。押圧部材２０は、プラテンガラス６の給送原稿読取領域６Ｂを原稿給送装置５によって通過させられる原稿を、通過の支障にならない程度の押圧力で、給送原稿読取領域６Ｂに押し付けるようになっている。
【００２０】
図４に示す密着型イメージセンサ１６は、光源としての不図示のＬＥＤアレイから原稿Ｄ１の画像情報面に光を照射できるようになっている。プラテンガラス６の静止原稿読取領域６Ａにユーザによって原稿が載置されると、静止原稿読取領域６Ａの下を図４において右方向に移動しながら原稿に光を照射して、その原稿を読み取るようになっている。所謂、固定読みするようになっている。また、密着型イメージセンサ１６は、プラテンガラス６の給送原稿読取領域６Ｂを原稿が通過するとき、押圧部材２０と対向する位置に停止して、通過する原稿に光を照射して、その原稿を読み取るようになっている。所謂、流し読みするようになっている。
【００２１】
イメージセンサ１６が原稿を照射して反射した光は、不図示のセルフォックレンズ（登録商標）でセンサ素子に結像して電気変換されて画像情報として処理された後、露光器４８に送られるようになっている。
【００２２】
図４に示すように、原稿給送装置５は、略Ｕ字状の原稿給送路（以下、Ｕターンパスという）７を備えている。このＵターンパス７の入り口には、原稿トレイ４に原稿Ｄ１が積載されているか否かを検知する原稿有無センサ１１が設けられている。Ｕターンパス７の入り口の内側には、原稿が重なって原稿給送装置５内に送り込まれないようにする分離ローラ８と、分離ローラ８に当接している分離パット９及び予備給送部材１０とが設けられている。Ｕターンパス７のさらに下流側には、原稿を挟持しながら回転して給送ローラ対１３と、原稿の通過を検知する原稿エッジセンサ１５とが設けられている。さらに、Ｕターンパス７の出口付近には、排出ローラ対１４が設けられている。
【００２３】
画像読取装置の動作の説明
ユーザによって、原稿給送装置５の原稿トレイ４に原稿が載置されると、原稿有無センサ１１は、載置された原稿Ｄ１を検知する。原稿Ｄ１は、読取画像面を上側にして装置の手前側からセットされるようになっている。原稿トレイ４に載置された原稿は、予備給送部材１０によって、分離ローラ８と分離パット９の分離部との間に案内される。
【００２４】
そして、ユーザが図２に示す操作部１２のスタート釦４１を押して、読取開始を画像読取装置３２に指示すると、不図示の駆動部が作動して、分離ローラ８が回転する。分離ローラ８は、分離パット９の分離部と協働して、原稿を１枚ずつに分離して、Ｕターンパス７に送り込む。分離された原稿Ｄ１は、給送ローラ対１３によって、Ｕターンパス７に沿って搬送され、原稿エッジセンサ１５によって先端部を検知されてから、プラテンガラス６の給送原稿読取領域６Ｂに送り込まれる。
【００２５】
本体２２には、給送原稿読取領域６Ｂと断面直角三角形状の下流側ガイド部材１９とを覆う透明なシート部材１８が設けられている。このため、給送原稿読取領域６Ｂに送り込まれた原稿は、下流側ガイド部材１９に支持された透明なシート部材１８に案内されて、排出ローラ対１４に案内される。この間、密着型イメージセンサ１６は、原稿エッジセンサ１５により原稿Ｄ１の先端部が検知されて、原稿が所定量搬送されたところで、原稿の画像情報の読み取りを開始する。イメージセンサ１６は、プラテンガラス６と透明なシート部材１８を間にして、原稿を読み取る。
【００２６】
そして、密着型イメージセンサ１６は、原稿の後端部が原稿エッジセンサ１５により検知されると、その位置から原稿が所定量搬送されたところで、原稿の読み取りを終了する。そして、原稿Ｄ１は、排出ローラ対１４によって原稿排出トレイ１７に排出される。
【００２７】
このようにして、原稿給送装置５が、原稿有無センサ１１によって原稿トレイ４に原稿が無くなったことを検知されるまで、原稿を給送原稿読取領域６Ｂに自動的に給送し続けるので、画像読取装置３２は、複数枚の原稿を自動的に読み取ることができる。
【００２８】
次に、本発明の特徴部分を説明する。
【００２９】
図３に示すように、下流側ガイド部材１９は、プラテンガラス６の奥側にある縁２２ａに対して直角に配設された長尺の部材である。すなわち、下流側ガイド部材１９は、原稿の給送方向に対して直交する向きに配設されている。下流側ガイド部材１９は、図４、図５に示すように、原稿給送方向に沿った断面が直角三角形状になっている。
【００３０】
下流側ガイド部材１９の下流側ガイド部材１９の傾斜した案内面１９ａは、給送原稿読取領域６Ｂに送り込まれた原稿を透明なシート部材１８を介してＵターンパス７の下流側に案内するようになっている。案内面１９ａには、静止原稿読取領域６Ａに載置された原稿Ｄ１のサイズを示す指標２１（図３）が記載されている。シート部材１８は、左端が本体２２に設けられている。
【００３１】
また、下流側ガイド部材１９のプラテンガラス６に対して垂直な位置決め面１９ｂは、静止原稿読取領域６Ａに載置された原稿Ｄ１（図３）の左端（後端）を受け止めるようになっている。
【００３２】
したがって、ユーザによってプラテンガラス６の給送原稿読取領域６Ｂに載置される原稿は、互いに直角な位置決め面１９ｂと縁２２ａとに突き当てられて読取位置を決めされて、指標２１のシートサイズの目盛りによって、サイズを判断される。また、ユーザは、サイズ毎に決められた正規の載置位置に原稿が載置されたことを確認できるため、指標２１は載置位置を示す役目もしている。
【００３３】
なお、指標２１は、指標２１の長さ方向の中心に中心目盛りを設けて、その中心目盛りに原稿の中心を合わせて、原稿の読取位置を決め、原稿のサイズを判断できるようにしてもよい。この場合、ユーザは、原稿の角部と、サイズ毎に記載されている指標２１の目盛りと、を一致させるようにプラテンガラス６上に原稿を載置する。したがって、指標２１はサイズ毎に決められた原稿の載置位置を表示する役目もしている。本願発明の、プラテンガラス６に載置された原稿のためのサイズ指標としての指標２１は、原稿のサイズを示すか若しくはサイズ毎に決められた原稿の載置位置を示すものである。
【００３４】
このように、本発明の画像読取装置３２は、指標２１を下流側ガイド部材１９の案内面１９ａに設けたので、静止原稿読取領域６Ａ側に指標を設けた従来の画像読取装置よりも、原稿搬送方向の長さを短くして、小型にすることができる。
【００３５】
なお、本発明の画像読取装置３２の場合、指標２１を下流側ガイド部材１９の案内面１９ａに設けたので、指標２１の上を原稿が通過することなり、指標２１が擦れて、目盛りが不明瞭になることが考えられる。また、原稿の先端が下流側ガイド部材１９に引っ掛かることが無くなり、ジャムの発生を予防することができる。しかし、本発明の画像読取装置３２は、指標２１を被覆部材としての透明なシート部材１８で覆って、指標２１の視認性を損なうことなく、目盛りの擦れを防止しているので、長期間使用することができる。シート部材１８は、交換できるようになっている。
【００３６】
なお、指標２１が原稿の擦れに耐えられる指標である場合には必ずしも必要としない。たとえば、指標２１が切り込みの目盛りで刻設されている場合、目盛りがシートに擦れて不明瞭になるおそれが少ないので、透明なシート部材１８を必ずしも設ける必要がない。
【００３７】
また、小型にすることができる本発明の画像読取装置を備えた画像形成装置も、小型にすることができる。
【図面の簡単な説明】
【００３８】
【図１】本発明の実施形態における画像読取装置を備えた画像形成装置のシート搬送方向に沿った断面図である。
【図２】画像読取装置の外観斜視図である。
【図３】画像読取装置において、プラテンガラスを開いたときの画像読取装置の外観斜視図である。
【図４】画像読取装置の原稿給送方向に沿った断面図である。
【図５】図４の画像読取装置において、本発明の特徴部分を示す拡大図である。
【図６】従来の画像読取装置の原稿搬送方向に沿った断面図である。
【符号の説明】
【００３９】
Ｄ１    原稿
Ｐ      シート
５      原稿給送装置
６      プラテンガラス（プラテン板）
６ａ    上面
６Ａ    静止原稿読取領域
６Ｂ    給送原稿読取領域
１６      密着型イメージセンサ（読取手段）
１７      原稿排出トレイ
１８      透明なシート部材（被覆部材）
１９      下流側ガイド部材（案内部材）
１９ａ    案内面
１９ｂ    位置決め面
２１      指標
２２      画像読取装置の本体
２２ａ    縁
３１      画像形成装置
３２      画像読取装置
５２      画像形成部
【図１】
2008005360.tif 000003
【図２】
2008005360.tif 000004
【図３】
2008005360.tif 000005
【図４】
2008005360.tif 000006
【図５】
2008005360.tif 000007
【図６】
2008005360.tif 000008